(57)【要約】      （修正有）【課題】不要な電力が消費されることを抑えつつ、残像が残りにくい電気泳動表示装置の駆動方法を提供する。【解決手段】電気泳動粒子を含有する分散系を共通電極と画素電極との間に介在させてなる電気泳動素子を含む表示領域と、前記電気泳動素子に電圧を印加して前記電気泳動素子を駆動する駆動手段と、前記駆動手段を制御する制御手段と、を備え、前記表示領域中に、異なる書換え間隔で書き換えられる２種以上の表示単位を含む電気泳動装置の駆動方法であって、画像書換えを行う際、前記制御手段が前記駆動手段を制御することによって、前記書換え間隔がより長い前記表示単位に含まれる前記電気泳動素子に、より高い電圧を印加する、電気泳動装置の駆動方法を提供する。【選択図】図５
2010231215.tif 000002
【特許請求の範囲】
【請求項１】
電気泳動粒子を含有する分散系を共通電極と画素電極との間に介在させてなる電気泳動素子を含む表示領域と、前記電気泳動素子に電圧を印加して前記電気泳動素子を駆動する駆動手段と、前記駆動手段を制御する制御手段と、を備え、前記表示領域中に、異なる書換え間隔で書き換えられる２種以上の表示単位を含む電気泳動装置の駆動方法であって、
画像書換えを行う際、前記制御手段が前記駆動手段を制御することによって、前記書換え間隔がより長い前記表示単位に含まれる前記電気泳動素子に、より高い電圧を印加する、電気泳動装置の駆動方法。
【請求項２】
電気泳動粒子を含有する分散系を共通電極と画素電極との間に介在させてなる電気泳動素子を含む表示領域と、前記電気泳動素子に電圧を印加して前記電気泳動素子を駆動する駆動手段と、前記駆動手段を制御する制御手段と、を備え、前記表示領域中に、異なる書換え間隔で書き換えられる２種以上の表示単位を含む電気泳動装置の駆動方法であって、
画像書換えを行う際、前記制御手段が前記駆動手段を制御することによって、前記書換え間隔がより長い前記表示単位に含まれる前記電気泳動素子に、より長い時間電圧を印加する、電気泳動装置の駆動方法。
【請求項３】
前記電圧を複数パルスに分割して印加し、該パルス数を多くすることによって、前記書換え間隔がより長い前記表示単位に含まれる前記電気泳動素子に、より長い時間電圧を印加する、請求項２に記載の電気泳動装置の駆動方法。
【請求項４】
電気泳動粒子を含有する分散系を共通電極と画素電極との間に介在させてなる電気泳動素子を含む表示領域と、前記電気泳動素子に電圧を印加して前記電気泳動素子を駆動する駆動手段と、前記駆動手段を制御する制御手段と、を備え、前記表示領域中に、異なる書換え間隔で書き換えられる２種以上の表示単位を含む電気泳動装置の駆動方法であって、
前記制御手段が前記駆動手段を制御することによって、前記書換え間隔が所定の時間より長い前記表示単位に含まれる前記電気泳動素子のみに電圧を印加し、該表示単位における表示のリフレッシュを行う、電気泳動装置の駆動方法。
【請求項５】
前記表示のリフレッシュを繰り返し行い、該表示のリフレッシュの間隔を、
前記分散系の表示保持性能が許容限度まで低下する時間より短く設定する、請求項４に記載の電気泳動装置の駆動方法。
【請求項６】
前記表示のリフレッシュを繰り返し行い、該表示のリフレッシュのそれぞれの回において、前記分散系の表示保持性能が次の回の表示のリフレッシュまでに許容限度まで低下しないように、十分に高い電圧を印加する、請求項４に記載の電気泳動装置の駆動方法。
【請求項７】
前記表示のリフレッシュを繰り返し行い、該表示のリフレッシュのそれぞれの回において、前記分散系の表示保持性能が次の回の表示のリフレッシュまでに許容限度まで低下しないように、十分に長い時間電圧を印加する、請求項４に記載の電気泳動装置の駆動方法。
【請求項８】
電気泳動粒子を含有する分散系を共通電極と画素電極との間に介在させてなる電気泳動素子を含む表示領域と、
前記電気泳動素子に電圧を印加して前記電気泳動素子を駆動する駆動手段と、
前記駆動手段を制御する制御手段と、を備え、
前記表示領域中には、異なる書換え間隔で書き換えられる２種以上の表示単位が含まれており、
書換えを行う際、前記制御手段が前記駆動手段を制御することによって、前記書換え間隔がより長い前記表示単位に含まれる前記電気泳動素子に、より高い電圧が印加される、電気泳動装置。
【請求項９】
電気泳動粒子を含有する分散系を共通電極と画素電極との間に介在させてなる電気泳動素子を含む表示領域と、
前記電気泳動素子に電圧を印加して前記電気泳動素子を駆動する駆動手段と、
前記駆動手段を制御する制御手段と、を備え、
前記表示領域中には、異なる書換え間隔で書き換えられる２種以上の表示単位が含まれており、
書換えを行う際、前記制御手段が前記駆動手段を制御することによって、前記書換え間隔がより長い前記表示単位に含まれる前記電気泳動素子に、より長い時間電圧が印加される、電気泳動装置。
【請求項１０】
前記電圧が、複数パルスに分割して印加され、該パルス数を多くすることによって、前記書換え間隔がより長い前記表示単位に含まれる前記電気泳動素子に、より長い時間電圧が印加される、請求項９に記載の電気泳動装置。
【請求項１１】
電気泳動粒子を含有する分散系を共通電極と画素電極との間に介在させてなる電気泳動素子を含む表示領域と、
前記電気泳動素子に電圧を印加して前記電気泳動素子を駆動する駆動手段と、
前記駆動手段を制御する制御手段と、を備え、
前記表示領域中には、異なる書換え間隔で書き換えられる２種以上の表示単位が含まれており、
前記制御手段が前記駆動手段を制御することによって、前記書換え間隔が所定の時間より長い前記表示単位に含まれる前記電気泳動素子のみに電圧を印加し、該表示単位における表示のリフレッシュが行われる、電気泳動装置。
【請求項１２】
前記表示のリフレッシュが繰り返し行われ、該表示のリフレッシュの間隔が、
前記分散系の表示保持性能が許容限度まで低下する時間より短く設定されている、請求項１１に記載の電気泳動装置。
【請求項１３】
前記表示のリフレッシュが繰り返し行われ、該表示のリフレッシュのそれぞれの回において、
前記分散系の表示保持性能が次の回の表示のリフレッシュまでに許容限度まで低下しないように、十分に高い電圧が印加される、請求項１１に記載の電気泳動装置。
【請求項１４】
前記表示のリフレッシュが繰り返し行われ、該表示のリフレッシュのそれぞれの回において、
前記分散系の表示保持性能が次の回の表示のリフレッシュまでに許容限度まで低下しないように、十分に長い時間電圧が印加される、請求項１１に記載の電気泳動装置。
【請求項１５】
請求項８から１４のいずれか１項に記載の電気泳動装置を備える電子機器。
【請求項１６】
前記２種以上の表示単位が、月表示、日表示、時表示、分表示、および秒表示からなる群から選択される、請求項８から１４のいずれか１項に記載の電気泳動装置を備える電子時計。
【発明の詳細な説明】
【技術分野】
【０００１】
本発明は、電気泳動装置の駆動方法、電気泳動装置、ならびに当該電気泳動装置を備える電子機器、電子時計等に関する。
【背景技術】
【０００２】
溶液中に電気泳動粒子を分散させてなる分散系に電界を印加した際に、クーロン力によって電気泳動粒子が泳動する現象（電気泳動現象）が知られており、この現象を利用した電気泳動表示装置が開発されている。
【０００３】
電気泳動表示装置では、長時間表示状態を維持し続けると、電気泳動粒子が電極等へ固着してしまい、書換えの際に粒子の動きが鈍くなって残像が残ることがある。例えば、電気泳動表示装置を電子時計に用いる場合、一つの表示領域の中に、月表示、日表示、時表示、分表示、秒表示等、書換え間隔が大きく異なる表示単位が存在するが、月表示は約７２０時間、日表示は２４時間と、長時間同一の表示を維持するため、表示書換え時に残像が残りやすい。
【０００４】
このような残像は、短い間隔で繰り返し表示のリフレッシュを行う方法や、書換え時に高い電圧を印加する方法、あるいは書換え時に長時間電圧を印加する方法等により抑制することができる。また、特開２００４−３２５４８９号公報（特許文献１）には、このような問題を解決する方法として、共通電極に高周波電圧を印加する方法が開示されている。
【先行技術文献】
【特許文献】
【０００５】
【特許文献１】特開２００４−３２５４８９号公報
【発明の概要】
【発明が解決しようとする課題】
【０００６】
しかしながら、書換え時に高電圧を印加する方法や、長時間電圧を印加する方法によって残像を抑制すると、電子時計のように、一つの表示領域の中に書換え時間が異なる表示単位が存在する場合、分表示や秒表示等、書換え間隔が短く比較的残像が残りにくい表示単位においても必要以上の電圧が消費されることになる。また、すべての表示単位において同一の間隔で表示のリフレッシュを行うと、月表示や日表示等書換え間隔が長い表示単位において、必要以上に頻繁に表示のリフレッシュが行わることになり、消費電力の増大を招く。さらに、高周波電圧を印加する方法では、駆動回路が複雑になるとともに、配線の寄生抵抗による電力ロスが大きくなってしまう。
【０００７】
そこで、本発明は、不要な電力が消費されることを抑えつつ、残像が残りにくい電気泳動表示装置の駆動方法を提供することを目的とする。
【課題を解決するための手段】
【０００８】
上記課題を解決するために、本発明に係る電気泳動装置の駆動方法の第１の態様は、電気泳動粒子を含有する分散系を共通電極と画素電極との間に介在させてなる電気泳動素子を含む表示領域と、前記電気泳動素子に電圧を印加して前記電気泳動素子を駆動する駆動手段と、前記駆動手段を制御する制御手段と、を備え、前記表示領域中に、異なる書換え間隔で書き換えられる２種以上の表示単位を含む電気泳動装置の駆動方法であって、画像書換えを行う際、前記制御手段が前記駆動手段を制御することによって、前記書換え間隔がより長い前記表示単位に含まれる前記電気泳動素子に、より高い電圧を印加することを特徴とする。
【０００９】
このような構成によれば、例えば電子時計の月表示や日表示等、書換え間隔がより長く、残像が残りやすい表示単位に含まれる電気泳動素子には、より高い電圧を印加するよう制御して、残像を抑制することができる。一方、分表示や秒表示等、書換え間隔が短い表示単位においては、不要な電力が消費されるのを抑えることが可能である。さらに、より高い電圧を印加すると、電気泳動粒子が電極上により密に集積するため、書換え間隔が長い表示単位において、長時間、良好な表示を維持することができるという効果も得られる。
【００１０】
また、上記課題を解決するための、本発明に係る電気泳動装置の駆動方法の第２の態様は、電気泳動粒子を含有する分散系を共通電極と画素電極との間に介在させてなる電気泳動素子を含む表示領域と、前記電気泳動素子に電圧を印加して前記電気泳動素子を駆動する駆動手段と、前記駆動手段を制御する制御手段と、を備え、前記表示領域中に、異なる書換え間隔で書き換えられる２種以上の表示単位を含む電気泳動装置の駆動方法であって、画像書換えを行う際、前記制御手段が前記駆動手段を制御することによって、前記書換え間隔がより長い前記表示単位に含まれる前記電気泳動素子に、より長い時間電圧を印加することを特徴とする。
【００１１】
このような構成によっても、書換え間隔がより長く、残像が残りやすい表示単位に含まれる電気泳動素子に、より長い時間電圧を印加するよう制御して、残像を抑制することができる。一方、分表示や秒表示等、書換え間隔が短い表示単位においては、不要な電力が消費されるのを抑えることが可能である。さらに、より長い時間電圧を印加すると、電気泳動粒子が電極上により密に集積するため、書換え間隔が長い表示単位において、長時間良好な表示を維持することができるという効果も得られる。
【００１２】
また、上記電気泳動装置の駆動方法においては、電圧を複数パルスに分割して印加し、該パルス数を多くすることによって、書換え間隔がより長い表示単位に含まれる電気泳動素子に、より長い時間電圧を印加するよう制御することも好ましい。このような構成によれば、簡略な回路で、各電気泳動素子に異なる時間電圧を印加することが可能である。
【００１３】
なお、書換え時間がより長い表示単位に含まれる電気泳動素子に、より高い電圧を印加し、かつ該電圧の印加時間をより長くするように制御する方法も、本発明に包含される。
【００１４】
また、上記課題を解決するための、本発明に係る電気泳動装置の第３の態様は、電気泳動粒子を含有する分散系を共通電極と画素電極との間に介在させてなる電気泳動素子を含む表示領域と、前記電気泳動素子に電圧を印加して前記電気泳動素子を駆動する駆動手段と、前記駆動手段を制御する制御手段と、を備え、前記表示領域中に、異なる書換え間隔で書き換えられる２種以上の表示単位を含む電気泳動装置の駆動方法であって、前記制御手段が前記駆動手段を制御することによって、前記書換え間隔が所定の時間より長い前記表示単位に含まれる前記電気泳動素子のみに電圧を印加し、該表示単位における表示のリフレッシュを行うことを特徴とする。
【００１５】
ここで、「表示のリフレッシュ」とは、一旦電圧を印加して所望の画像を表示するように分布させた電気泳動粒子の分布状態を安定または維持させることを目的として、定期的または不定期に画像データに基づいて電圧を印加することをいう。従って、液晶表示装置で従来から行われているデータの消去と書込みからなる「リフレッシュ」とは異なり、本発明ではデータの消去を必ずしも必要としない。
【００１６】
このような構成によっても、書換え間隔が所定の時間より長く、残像が残りやすい表示単位においてのみ表示のリフレッシュを行って、残像を抑制することができる。なお、表示のリフレッシュの間隔は、書換え間隔が所定の時間より長いすべての表示単位で一定としてもよいし、表示単位ごとに異なる間隔で行ってもよい。一方、分表示や秒表示等、書換え間隔が短い表示単位においては、リフレッシュを行わず、不要な電力が消費されるのを抑えることが可能である。
【００１７】
上記電気泳動装置の駆動方法においては、表示のリフレッシュを繰り返し行い、該表示のリフレッシュの間隔を、前記分散系の表示保持性能が許容限度まで低下する時間より短く設定することも好ましい。このような構成により、表示の性能が常に許容範囲内に維持される。なお、表示のリフレッシュの間隔を、分散系の表示保持性能が許容限度まで低下する時間よりわずかに短く設定すれば、リフレッシュの回数を最小限とすることが可能となり、不要な電力が消費されるのを防ぐことができる。
【００１８】
また、上記電気泳動装置の駆動方法においては、表示のリフレッシュを繰り返し行い、該表示のリフレッシュのそれぞれの回において、分散系の表示保持性能が次の回の表示のリフレッシュまでに許容限度まで低下しないように、十分に高い電圧を印加することが好ましい。このような構成により、表示の性能が常に許容範囲内に保持される。なお、印加する電圧を、次の回の表示のリフレッシュまでに表示性能が許容限度まで低下しない限りにおいて、最小限に設定すれば、不要な電力が消費されるのを防ぐことができる。
【００１９】
また、上記電気泳動装置の駆動方法においては、表示のリフレッシュを繰り返し行い、該表示のリフレッシュのそれぞれの回において、分散系の表示保持性能が次の回の表示のリフレッシュまでに許容限度まで低下しないように、十分に長い時間電圧を印加することも好ましい。このような構成によっても、表示の性能が常に許容範囲内に保持される。なお、電圧印加時間を、次の回の表示のリフレッシュまでに表示性能が許容限度まで低下しない限りにおいて、最短に設定すれば、不要な電力が消費されるのを防ぐことができる。
【００２０】
さらに、本発明は、上記課題を解決する電気泳動装置として、以下の電気泳動装置をも包含する。
【００２１】
本発明に係る電気泳動装置の第１の態様は、電気泳動粒子を含有する分散系を共通電極と画素電極との間に介在させてなる電気泳動素子を含む表示領域と、前記電気泳動素子に電圧を印加して前記電気泳動素子を駆動する駆動手段と、前記駆動手段を制御する制御手段と、を備え、前記表示領域中には、異なる書換え間隔で書き換えられる２種以上の表示単位が含まれており、書換えを行う際、前記制御手段が前記駆動手段を制御することによって、前記書換え間隔がより長い前記表示単位に含まれる前記電気泳動素子に、より高い電圧が印加されることを特徴とする。
【００２２】
このような構成によれば、例えば電子時計の場合、月表示や日表示等、書換え間隔がより長く、残像が残りやすい表示単位に含まれる電気泳動素子には、より高い電圧を印加するよう制御して、残像を抑制することができる。一方、分表示や秒表示等、書換え間隔が短い表示単位においては、不要な電力が消費されるのを抑えることが可能である。さらに、より高い電圧を印加すると、電気泳動粒子が電極上により密に集積するため、長時間、良好な表示を維持することができるという効果も得られる。
【００２３】
また、上記課題を解決するための、本発明に係る電気泳動装置の第２の態様は、電気泳動粒子を含有する分散系を共通電極と画素電極との間に介在させてなる電気泳動素子を含む表示領域と、前記電気泳動素子に電圧を印加して前記電気泳動素子を駆動する駆動手段と、前記駆動手段を制御する制御手段と、を備え、前記表示領域中には、異なる書換え間隔で書き換えられる２種以上の表示単位が含まれており、書換えを行う際、前記制御手段が前記駆動手段を制御することによって、前記書換え間隔がより長い前記表示単位に含まれる前記電気泳動素子に、より長い時間電圧が印加されることを特徴とする。
【００２４】
このような構成によっても、書換え間隔がより長く、残像が残りやすい表示単位に含まれる電気泳動素子に、より長い時間電圧を印加するよう制御して、残像を抑制することができる。一方、分表示や秒表示等、書換え間隔が短い表示単位においては、不要な電力が消費されるのを抑えることが可能である。さらに、より長い時間電圧を印加すると、電気泳動粒子が電極上により密に集積するため、長時間良好な表示を維持することができるという効果も得られる。
【００２５】
また、より長い時間電圧を印加する場合、駆動パルスの幅（電圧印加時間）を長くしても良いし、複数パルスに分割して印加し、該パルス数を多くすることによって電圧が印加される時間の合計を長くしても良い。
【００２６】
なお、書換え時間がより長い表示単位に含まれる電気泳動素子に、より高い電圧を印加し、かつ該電圧の印加時間をより長くするようにまた、制御される装置も、本発明に包含される。
【００２７】
また、上記課題を解決するための、本発明に係る電気泳動装置の第３の態様は、電気泳動粒子を含有する分散系を共通電極と画素電極との間に介在させてなる電気泳動素子を含む表示領域と、前記電気泳動素子に電圧を印加して前記電気泳動素子を駆動する駆動手段と、前記駆動手段を制御する制御手段と、を備え、前記表示領域中には、異なる書換え間隔で書き換えられる２種以上の表示単位が含まれており、前記制御手段が前記駆動手段を制御することによって、前記書換え間隔が所定の時間より長い前記表示単位に含まれる前記電気泳動素子のみに電圧を印加し、該表示単位における表示のリフレッシュが行われることを特徴とする。
【００２８】
ここで、「表示のリフレッシュ」とは、一旦電圧を印加して所望の画像を表示するように分布させた電気泳動粒子の分布状態を安定または維持させることを目的として、定期的または不定期に画像データに基づいて電圧を印加することをいう。従って、液晶表示装置で従来から行われているデータの消去と書込みからなる「リフレッシュ」とは異なり、本発明ではデータの消去を必ずしも必要としない。
【００２９】
このような構成によっても、書換え間隔が所定の時間より長く、残像が残りやすい表示単位においてのみ表示のリフレッシュを行って、残像を抑制することができる。なお、表示のリフレッシュの間隔は、書換え間隔が所定の時間より長いすべての表示単位で一定としてもよいし、表示単位ごとに異なる間隔で行ってもよい。一方、分表示や秒表示等、書換え間隔が短い表示単位においては、リフレッシュを行わず、不要な電力が消費されるのを抑えることが可能である。
【００３０】
また、本発明に係る電気泳動装置においては、表示のリフレッシュが繰り返し行われ、該表示のリフレッシュの間隔が、分散系の表示保持性能が許容限度まで低下する時間より短く設定されていることが好ましい。このような構成により、表示の性能が常に許容範囲内に維持される。なお、表示のリフレッシュの間隔を、分散系の表示保持性能が許容限度まで低下する時間よりわずかに短く設定すれば、リフレッシュの回数を最小限とすることが可能となり、不要な電力が消費されるのを防ぐことができる。
【００３１】
また、本発明に係る電気泳動装置においては、表示のリフレッシュが繰り返し行われ、該表示のリフレッシュのそれぞれの回において、分散系の表示保持性能が次の回の表示のリフレッシュまでに許容限度まで低下しないように、十分に高い電圧が印加されることも好ましい。このような構成により、表示の性能が常に許容範囲内に保持される。なお、印加する電圧を、次の回の表示のリフレッシュまでに表示性能が許容限度まで低下しない限りにおいて、最小限に設定すれば、不要な電力が消費されるのを防ぐことができる。
【００３２】
また、本発明に係る電気泳動装置においては、表示のリフレッシュが繰り返し行われ、該表示のリフレッシュのそれぞれの回において、分散系の表示保持性能が次の回の表示のリフレッシュまでに許容限度まで低下しないように、十分に長い時間電圧が印加されことも好ましい。このような構成により、表示の性能が常に許容範囲内に保持される。なお、電圧印加時間を、次の回の表示のリフレッシュまでに表示性能が許容限度まで低下しない限りにおいて、最短に設定すれば、不要な電力が消費されるのを防ぐことができる。
【００３３】
また、本発明の電子機器は、上述した電気泳動装置を表示部として備える。ここで、「電子機器」は、電気泳動材料による表示を利用する表示部を備えるあらゆる機器を含むもので、ディスプレイ装置、テレビジョン装置、電子ペーパー、時計、電卓、携帯電話、携帯情報端末等を含む。また、「機器」という概念からはずれるもの、例えば可撓性のある紙状／フィルム状の物体、これら物体が貼り付けられた壁面等の不動産に属するもの、車両、飛行体、船舶等の移動体に属するものも含む。
【００３４】
また、本発明の電子時計は、上述した電気泳動装置を表示部として備え、２種以上の表示単位が、月表示、日表示、時表示、分表示、および秒表示からなる群から選択される。この電子時計は、書換え間隔が大きく異なる表示単位を有していても、電力を浪費することなく、効率よく残像を抑制することができる。
【図面の簡単な説明】
【００３５】
【図１】本発明に係る電気泳動装置が用いられる電子時計を示す。
【図２】本発明に係る電気泳動装置の回路構成を説明するブロック図である。
【図３】本発明に係る電気泳動装置の各画素回路の構成を説明する回路図である。
【図４】電気泳動素子の構成例を説明する模式断面図である。
【図５】本発明に係る電気泳動装置の駆動方法の一例を説明する波形図である。
【図６】本発明に係る電気泳動装置の駆動方法の一例を説明する波形図である。
【図７】本発明に係る電気泳動装置の駆動方法の一例を説明する波形図である。
【図８】電気泳動装置の表示保持性能の経時変化の一例を説明する図である。
【図９】本発明に係る電気泳動装置が用いられる電子機器の例である。
【発明を実施するための形態】
【００３６】
以下、本発明の実施の形態を図面に基づき説明する。
【００３７】
図１に本発明に係る電気泳動装置が用いられた電子機器の一例として、電子時計１を示す。電子時計１が備える電気泳動装置は、本発明に係る電気泳動装置の駆動方法に従って駆動される。図示されるように、電子時計１は、月表示１１、日表示１２、時表示１３、分表示１４、秒表示１５の５種類の表示単位を含む表示領域１６を備えており、図では、９月２６日１０時３８分４５秒を表示している。
【００３８】
図２に、電子時計１が備える電気泳動装置２の回路構成を概略的に説明するブロック図を示す。電気泳動装置２は、コントローラ２１、表示領域１６、走査線駆動回路２３、データ線駆動回路２４を含んで構成されている。
【００３９】
コントローラ２１は、走査線駆動回路２３及びデータ線駆動回路２４を制御するものであり、図示しない画像信号処理回路やタイミングジェネレータなどを含んで構成されている。このコントローラ２１は、表示領域１６に表示させる画像を示す画像信号（画像データ）、画像書き換え時のリセットを行うためのリセットデータ、その他各種信号（クロック信号等）を生成し、走査線駆動回路２３又はデータ線駆動回路２４へ出力する。
【００４０】
表示領域１６は、Ｘ方向に沿って平行に配列された複数本のデータ線と、Ｙ方向に沿って平行に配列された複数本の走査線と、これらのデータ線と走査線の各交点に配置される画素回路とを備えており、各画素回路に含まれる電気泳動素子によって画像表示を行うものである。
【００４１】
走査線駆動回路２３は、表示領域１６の各走査線と接続されており、これらの走査線のいずれかを選択し、当該選択した走査線に所定の走査線信号Ｙ１、Ｙ２、…、Ｙｍを供給する。この走査線信号Ｙ１、Ｙ２、…、Ｙｍは、アクティブ期間（Ｈレベル期間）が順次シフトする信号となっており、各走査線に出力されることにより、各走査線に接続された画素回路が順次オン状態とされる。
【００４２】
データ線駆動回路２４は、表示領域１６の各データ線と接続されており、走査線駆動回路２３によって選択された各画素回路に対してデータ信号Ｘ１、Ｘ２、…、Ｘｎを供給する。
【００４３】
なお、上述したコントローラ２１が本発明における「制御手段」に相当し、走査線駆動回路２３及びデータ線駆動回路２４が本発明における「駆動手段」に相当する。
【００４４】
図３は、各画素回路の構成を説明する回路図である。図３に示す画素回路では、スイッチング用のトランジスタ３１、電気泳動素子３２、保持容量３３を含んで構成されている。トランジスタ３１は、例えばＮチャネルトランジスタであって、そのゲートが走査線３４に接続され、ソースがデータ線３５に接続され、ドレインが電気泳動素子３２の画素電極に接続されている。電気泳動素子３２は、共通電極と画素電極の間に分散系を介在させて構成されている。保持容量３３は、電気泳動素子３２と並列に接続されている。
【００４５】
図４は、電気泳動素子の構成例を説明する模式断面図である。図４に示すように本実施形態の電気泳動素子３２は、ガラス又は樹脂等からなる基板４１上に形成された画素電極４３と、ガラス又は樹脂等からなる基板４２上に形成された共通電極４４との間に、電気泳動粒子４６、４７を含有する分散系４５を介在させて構成されている。本実施形態では、電気泳動粒子４６は電気的にマイナスに帯電した白色の粒子（白粒子）であり、電気泳動粒子４７は電気的にプラスに帯電した黒色の粒子（黒粒子）であるものとする。画素電極４３と共通電極４４の間に印加する電圧を制御することにより、これらの電気泳動粒子４６、４７の空間的配置が変化し、白色または黒色の表示がなされる。
【００４６】
このような電気泳動素子３２においては、例えば、画素電極にはデータ線を介して低電源電位Ｖｓｓ（例えば０Ｖ）を、共通電極の電位（共通電位）Ｖｃｏｍとしては高電源電位Ｖｄｄ（例えば＋１０Ｖ）を与えることにより、白粒子４６が共通電極側４４に、黒粒子４７が画素電極４３側に移動して、共通電極４４側から（図中下方から）観察すると、白色が表示される。一方、共通電位ＶｃｏｍとしてＶｓｓを、画素電極にＶｄｄを与えることにより、黒粒子４７が共通電極４４側に移動し、白粒子４６が画素電極４３側に移動して、共通電極４４側から観察すると白色が表示される。
【００４７】
次に、本発明に係る電子時計１が備える、電気泳動装置２の具体的な駆動方法について説明する。本実施形態の電気泳動装置２においては、画像書換えを行うために、コントローラ２１により、走査線駆動回路２３およびデータ線駆動回路２４を制御し、各電気泳動素子３２の共通電極４４と画素電極４３に電圧を印加する。コントローラ２１は、月表示１１、日表示１２、時表示１３、分表示１４、秒表示１５の各表示単位に含まれる電気泳動素子３２に対して印加する電圧を、表示単位毎に独立して制御することができる。
【００４８】
図５に、本発明に係る電子時計１の一実施態様の駆動方法を説明する波形図を示す。
【００４９】
コントローラ２１は、図５（Ａ）に示すように、月表示１１には、１ヵ月ごとに、表示書換えのために走査線駆動回路２３およびデータ線駆動回路２４を制御して電圧を印加し、表示を変更する。このとき、印加する電圧をＶMと表す。同様に、日表示１２には表示
書換えのための電圧を２４時間ごとに印加し、このときに印加する電圧をＶDとする。また、時表示１３には表示書換えのための電圧を１時間ごとに印加し、このとき印加する電圧をＶHとし、分表示１４には１分ごとに印加し、このとき印加する電圧をＶminと表し、秒１５表示には１秒ごとに印加し、このとき印加する電圧をＶSと表す。
【００５０】
そして、コントローラ２１は、月表示１１や日表示１２等、書換え間隔がより長い表示単位に含まれる電気泳動素子３２に、より高い電圧を印加するように走査線駆動回路２３およびデータ線駆動回路２４を制御する。即ち、印加される電圧が、ＶM≧ＶD≧ＶH≧Ｖmin≧ＶSとなるように制御する。ＶM≧ＶD≧ＶH≧Ｖmin≧ＶSという式を満たす以上、各電圧の大きさは特に限定されず、ＶM＞ＶD＞ＶH＞Ｖmin＞ＶSであっても良いし、ＶM＝ＶD＞ＶH＞Ｖmin＝ＶS等であっても良い。
【００５１】
このように制御することにより、書換え間隔が長く残像が残りやすい表示単位には高電圧を印加され、電気泳動粒子が電極等に固着していても、それを移動させ、残像を残さずに次の画像を表示することができる。また、書換え時に高電圧をかけることによって、電気泳動粒子が電極上に密に堆積するため、表示のリフレッシュを行わなくても、長時間にわたって良好な表示を保持することができるという効果も得られる。一方、分表示１４や秒表示１５等、長時間表示を保持する必要がなく、電気泳動粒子の固着も起こりにくい表示単位には、表示を書き換えるのに十分な低い電圧をかけて、消費電力を低減することができる。
【００５２】
また、図６に、本発明に係る電子時計１の別の実施態様の駆動方法を説明する波形図を示す。
【００５３】
コントローラ２１は、走査線駆動回路２３およびデータ線駆動回路２４を制御して、月表示１１には１ヶ月ごとに、日表示１２には２４時間ごとに、時表示１３には１時間ごとに、分表示１４には１分ごとに、秒表示１５には１秒ごとに、電圧印加時間がそれぞれＶLM、ＶLD、ＶLH、ＶLmin、ＶLSとなるよう、電圧を印加する。
【００５４】
そして、コントローラ２１は、月表示１１や日表示１２等、書換え間隔がより長い表示単位に含まれる電気泳動素子３２への電圧印加時間をより長くする。即ち、ＶLM≧ＶLD≧ＶLH≧ＶLmin≧ＶLSとなるように制御する。ＶLM≧ＶLD≧ＶLH≧ＶLmin≧ＶLSという式を満たす以上、各電圧の大きさは特に限定されず、ＶLM＞ＶLD＞ＶLH＞ＶLmin＞ＶLSであっても良いし、ＶLM＝ＶLD＞ＶLH＞ＶLmin＝ＶLS等であっても良い。
【００５５】
このように制御することにより、書換え間隔が長く残像が残りやすい表示単位にはより長い時間電圧が印加され、電気泳動粒子が電極等に固着していても、それを移動させ、残像を残さずに次の画像を表示することができる。また、書換え時に長時間電圧をかけることによって、電気泳動粒子が電極上に密に堆積するため、表示のリフレッシュを行わなくても、長い時間にわたって良好な表示を保持することができるという効果も得られる。一方、分表示１４や秒表示１５等、長時間表示を保持する必要がなく、電気泳動粒子の固着も起こりにくい表示単位への電圧の印加は短時間として、消費電力を低減することができる。
【００５６】
なお、より長い時間電圧を印加する場合、図６に示すように、駆動パルスの幅を代えてもよいし、図７に示すように、複数のパルスに分割して印加し、パルス数を多くすることによって、電圧印加時間を長くしてもよい。単発パルスで、その長さを可変にする場合は、コントローラ２１内部に時間を計測するタイマや、Ｄ／Ａコンバータなどのアナログ回路を備える必要があるが、固定幅パルスの数を可変にする手法であれば、単にパルス数を計数するだけでよく、デジタル回路のみで構成できるので、回路を簡略化することができる。
【００５７】
また、書換え間隔が長い表示単位に、より高い電圧を印加し、且つ、当該電圧の印加時間をより長くすることも本発明に包含される。
【００５８】
本発明に係る電子時計１の別の実施態様では、コントローラ２１が、書換え間隔が所定の時間より長い表示単位に含まれる電気泳動素子のみに電圧を印加し、定期的または不定期に表示単位における表示にリフレッシュを行う。例えば、所定の時間を１２時間とすれば、月表示１１および日表示１２のみにおいて表示のリフレッシュが行われることになる。表示のリフレッシュは、１回ずつ行っても良いし、繰り返し行うこともでき、月表示１１と日表示１２において同時に行うこともできるし、それぞれ異なるタイミングで行うこともできる。
【００５９】
表示のリフレッシュを繰り返し行う場合、表示のリフレッシュの間隔を、使用する電気泳動分散系の表示保持性能と所望の表示品質（許容品質）とを勘案して決定することができる。具体的には、表示のリフレッシュの間隔を、電子時計１に含まれる電気泳動分散系の表示保持性能が許容限度まで低下する時間より短く設定することができる。例えば、電子時計１に含まれる電気泳動分散系の表示保持性能が、図８に示されるコントラスト相対値で表される場合であって、当該コントラスト相対値の２０％の低下まで許容できるとする。このとき、図８に示すグラフから、コントラスト相対値が２０％低下するのは約１時間後であると求められるので、表示のリフレッシュ間隔を１時間未満とすれば、表示保持性能を常に許容範囲内に維持することができる。
【００６０】
また、上述のように、表示保持性能が許容限度まで低下する時間を求めて表示のリフレッシュ間隔を決定する場合は、求められた時間より、わずかに短い時間とすることが好ましい。求められた時間よりわずかに短い間隔で表示のリフレッシュを行えば、表示の性能が常に許容範囲内に維持されるのと同時に、表示のリフレッシュの回数を最小限とすることができるので、電力が必要以上に消費されるのを防ぐことができるからである。
【００６１】
なお、一般に、電気泳動分散系の表示保持性能は時間がたつと変化するので、表示のリフレッシュの間隔は、変化も考慮した上でリフレッシュ間隔を決定してもよい。このような構成は、例えば、コントローラ２１が、表示保持性能情報を処理し、当該情報から表示保持性能が許容限度まで低下する時間を求め、当該時間に基づいて表示リフレッシュ間隔を決定し、当該間隔で電気泳動素子に電圧を印加することによって実現される。
【００６２】
一方、分散系の表示保持性能の劣化速度にかかわらずに表示のリフレッシュ間隔を一定とし、表示保持性能が、次の回のリフレッシュまでに許容限度まで低下しないように、高い電圧を印加するか、電圧印加時間を長くしてもよい。例えば、１時間ごとにリフレッシュを行うのであれば、１時間表示を保持するのに十分な大きさの電圧をかければよい。この場合も、印加電圧を、１時間で低下する性能をちょうど回復するか、わずかに大きく回復するような値に設定することで、表示保持性能を常に許容範囲内に維持しつつ、電力が必要以上に消費されるのを防ぐことができる。また、この場合も、分散系の表示保持性能の経時的な変化を考慮してもよい。
【００６３】
以上、本発明に係る電気泳動装置、およびその駆動方法について、電子時計１を例に挙げて説明したが、本発明に係る電気泳動装置、およびその駆動方法は、電子時計１に限定されず、例えば以下に示す電子機器においても、時計表示等、書換え間隔が異なる表示が含まれる場合、好適に利用することができる。
【００６４】
図９は、電気泳動装置を適用した電子機器の具体例を説明する斜視図である。図９（Ａ）は、電子機器の一例である電子ブックを示す斜視図である。この電子ブック１０００は、ブック形状のフレーム１００１と、このフレーム１００１に対して回動自在に設けられた（開閉可能な）カバー１００２と、操作部１００３と、本実施形態に係る電気泳動装置によって構成された表示部１００４と、を備えている。図９（Ａ）は、電子機器の一例である電子ブックを示す斜視図である。この電子ブック１０００は、ブック形状のフレーム１００１と、このフレーム１００１に対して回動自在に設けられた（開閉可能な）カバー５０２と、操作部１００３と、本実施形態に係る電気泳動装置によって構成された表示部１００４と、を備えている。図９（Ｂ）は、電子機器の一例である電子ペーパーを示す斜視図である。この電子ペーパー１２００は、紙と同様の質感および柔軟性を有するリライタブルシートで構成される本体部１２０１と、本実施形態に係る電気泳動装置によって構成された表示部１２０２と、を備えている。なお、電気泳動装置を適用可能な電子機器の範囲はこれに限定されず、帯電粒子の移動に伴う視覚上の色調の変化を利用した装置を広く含むものである。例えば、上記のような装置の他、電気泳動フィルムが貼り合わせられた壁面等の不動産に属するもの、車両、飛行体、船舶等の移動体に属するものも該当する。
【００６５】
なお、本発明は上述した実施形態の内容に限定されるものではなく、本発明の要旨の範囲内において種々の変形実施が可能である。例えば、以上の説明では、電気泳動装置の回路構成としてアクティブマトリクス型を例に挙げて説明したが、本発明はこの回路構成だけに限定されるものではない。例えば、パッシブマトリクス型の回路構成であっても、あるいはコントローラから各画素電極に対して個別に駆動電圧を印加するような、いわゆるセグメント直接駆動型の回路構成であっても、本発明の駆動方法を適用することができる。
【符号の説明】
【００６６】
１…電子時計、１１…月表示、１２…日表示、１３…時表示、１４…分表示、１５…秒表示、１６…表示領域、２…電気泳動装置、２１…コントローラ、２３…走査線駆動回路、２４…データ線駆動回路、３１…トランジスタ、３２…電気泳動素子、３３…保持容量、３４…走査線、３５…データ線、４１、４２…基板、４３…画素電極、４４…共通電極、４５…電気泳動分散系、４６、４７…電気泳動粒子
【図１】
2010231215.tif 000003
【図２】
2010231215.tif 000004
【図３】
2010231215.tif 000005
【図４】
2010231215.tif 000006
【図５】
2010231215.tif 000007
【図６】
2010231215.tif 000008
【図７】
2010231215.tif 000009
【図８】
2010231215.tif 000010
【図９】
2010231215.tif 000011
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
電気泳動粒子を含有する分散系を第１電極と第２電極との間に介在してなる電気泳動素子を有し、前記電気泳動素子を複数具備する表示領域を備えてなる電気泳動装置の駆動方法において、
前記表示領域は、所定の書き換え間隔で書き換えられる第１の表示単位と、前記第１の表示単位の書き換え間隔より短い書き換え間隔で書き換えられる第２の表示単位と、を含み、
画像書換えを行う際、前記第２の表示単位に含まれる前記電気泳動素子に、前記第１の表示単位に含まれる前記電気泳動素子より低い電圧を印加することを特徴とする電気泳動装置の駆動方法。
【請求項２】
電気泳動粒子を含有する分散系を第１電極と第２電極との間に介在してなる電気泳動素子を有し、前記電気泳動素子を複数具備する表示領域を備えてなる電気泳動装置の駆動方法において、
前記表示領域は、所定の書き換え間隔で書き換えられる第１の表示単位と、前記第１の表示単位の書き換え間隔より短い書き換え間隔で書き換えられる第２の表示単位と、を含み、
画像書換えを行う際、前記第２の表示単位に含まれる前記電気泳動素子に、前記第１の表示単位に含まれる前記電気泳動素子より短い時間、電圧を印加することを特徴とする電気泳動装置の駆動方法。
【請求項３】
電気泳動粒子を含有する分散系を第１電極と第２電極との間に介在してなる電気泳動素子を有し、前記電気泳動素子を複数具備する表示領域を備えてなる電気泳動装置の駆動方法において、
前記表示領域は、所定の書き換え間隔で書き換えられる第１の表示単位と、前記第１の表示単位の書き換え間隔より短い書き換え間隔で書き換えられる第２の表示単位と、を含み、
前記第１の表示単位に含まれる前記電気泳動素子のみに電圧を印加し、該第１の表示単位における表示のリフレッシュを行うことを特徴とする電気泳動装置の駆動方法。
【請求項４】
電気泳動粒子を含有する分散系を第１電極と第２電極との間に介在してなる電気泳動素子を有し、前記電気泳動素子を複数具備する表示領域と、前記電気泳動素子を駆動する駆動回路と、を含む電気泳動装置を制御するためのコントローラにおいて、
前記コントローラは、
前記表示領域に含まれる第１の表示単位が所定の書き換え間隔で書き換えられ、前記表示領域に含まれる第２の表示単位が前記第１の表示単位の書き換え間隔より短い書き換え間隔で書き換えられるように前記駆動回路を制御し、
画像書換えを行う際、前記第２の表示単位に含まれる前記電気泳動素子に、前記第１の表示単位に含まれる前記電気泳動素子より低い電圧が印加されるように前記駆動回路を制御することを特徴とするコントローラ。
【請求項５】
電気泳動粒子を含有する分散系を第１電極と第２電極との間に介在してなる電気泳動素子を有し、前記電気泳動素子を複数具備する表示領域と、前記電気泳動素子を駆動する駆動回路と、を含む電気泳動装置を制御するためのコントローラにおいて、
前記コントローラは、
前記表示領域に含まれる第１の表示単位が所定の書き換え間隔で書き換えられ、前記表示領域に含まれる第２の表示単位が前記第１の表示単位の書き換え間隔より短い書き換え間隔で書き換えられるように前記駆動回路を制御し、
画像書換えを行う際、前記第２の表示単位に含まれる前記電気泳動素子に、前記第１の表示単位に含まれる前記電気泳動素子より短い時間、電圧が印加されるように前記駆動回路を制御することを特徴とするコントローラ。
【請求項６】
電気泳動粒子を含有する分散系を第１電極と第２電極との間に介在してなる電気泳動素子を有し、前記電気泳動素子を複数具備する表示領域と、前記電気泳動素子を駆動する駆動回路と、を含む電気泳動装置を制御するためのコントローラにおいて、
前記コントローラは、
前記表示領域に含まれる第１の表示単位が所定の書き換え間隔で書き換えられ、前記表示領域に含まれる第２の表示単位が前記第１の表示単位の書き換え間隔より短い書き換え間隔で書き換えられるように前記駆動回路を制御し、
前記第１の表示単位に含まれる前記電気泳動素子のみに電圧が印加されることで、該第１の表示単位における表示のリフレッシュが行われるように前記駆動回路を制御することを特徴とするコントローラ。
【請求項７】
電気泳動粒子を含有する分散系を第１電極と第２電極との間に介在してなる電気泳動素子と、前記電気泳動素子を駆動する駆動回路と、前記駆動回路を制御するコントローラとを有し、前記電気泳動素子を複数具備する表示領域を備えてなる電気泳動装置において、
前記コントローラは、
前記表示領域に含まれる第１の表示単位が所定の書き換え間隔で書き換えられ、前記表示領域に含まれる第２の表示単位が前記第１の表示単位の書き換え間隔より短い書き換え間隔で書き換えられるように前記駆動回路を制御し、
画像書換えを行う際、前記第２の表示単位に含まれる前記電気泳動素子に、前記第１の表示単位に含まれる前記電気泳動素子より低い電圧が印加されるように前記駆動回路を制御することを特徴とする電気泳動装置。
【請求項８】
電気泳動粒子を含有する分散系を第１電極と第２電極との間に介在してなる電気泳動素子と、前記電気泳動素子を駆動する駆動回路と、前記駆動回路を制御するコントローラとを有し、前記電気泳動素子を複数具備する表示領域を備えてなる電気泳動装置において、
前記コントローラは、
前記表示領域に含まれる第１の表示単位が所定の書き換え間隔で書き換えられ、前記表示領域に含まれる第２の表示単位が前記第１の表示単位の書き換え間隔より短い書き換え間隔で書き換えられるように前記駆動回路を制御し、
画像書換えを行う際、前記第２の表示単位に含まれる前記電気泳動素子に、前記第１の表示単位に含まれる前記電気泳動素子より短い時間、電圧が印加されるように前記駆動回路を制御することを特徴とする電気泳動装置。
【請求項９】
電気泳動粒子を含有する分散系を第１電極と第２電極との間に介在してなる電気泳動素子と、前記電気泳動素子を駆動する駆動回路と、前記駆動回路を制御するコントローラとを有し、前記電気泳動素子を複数具備する表示領域を備えてなる電気泳動装置において、
前記コントローラは、
前記表示領域に含まれる第１の表示単位が所定の書き換え間隔で書き換えられ、前記表示領域に含まれる第２の表示単位が前記第１の表示単位の書き換え間隔より短い書き換え間隔で書き換えられるように前記駆動回路を制御し、
前記第１の表示単位に含まれる前記電気泳動素子のみに電圧が印加されることで、該第１の表示単位における表示のリフレッシュが行われるように前記駆動回路を制御することを特徴とする電気泳動装置。
【請求項１０】
請求項７から９のいずれか１項に記載の電気泳動装置を備える電子機器。
【請求項１１】
前記第１の表示単位、前記第２の表示単位はそれぞれ、月表示、日表示、時表示、分表示、および秒表示からなる群から選択される、請求項７から９のいずれか１項に記載の電気泳動装置を備える電子時計。
【手続補正３】
【補正対象書類名】明細書
【補正対象項目名】０００７
【補正方法】変更
【補正の内容】
【０００７】
そこで本発明は、不要な電力が消費されることを押さえつつ、残像が残りにくい電気泳動装置の駆動技術を提供することを目的とする。
【手続補正４】
【補正対象書類名】明細書
【補正対象項目名】０００８
【補正方法】変更
【補正の内容】
【０００８】
上記課題を解決するために本発明に係る電気泳動装置の駆動方法は、電気泳動粒子を含有する分散系を第１電極と第２電極との間に介在してなる電気泳動素子を有し、電気泳動素子を複数具備する表示領域を備えてなる電気泳動装置の駆動方法において、表示領域は、所定の書き換え間隔で書き換えられる第１の表示単位と、第１の表示単位の書き換え間隔より短い書き換え間隔で書き換えられる第２の表示単位と、を含み、画像書換えを行う際、第２の表示単位に含まれる電気泳動素子に、第１の表示単位に含まれる電気泳動素子より低い電圧を印加することを特徴とする。
【手続補正５】
【補正対象書類名】明細書
【補正対象項目名】０００９
【補正方法】変更
【補正の内容】
【０００９】
上記課題を解決するために本発明に係る電気泳動装置の駆動方法は、電気泳動粒子を含有する分散系を第１電極と第２電極との間に介在してなる電気泳動素子を有し、電気泳動素子を複数具備する表示領域を備えてなる電気泳動装置の駆動方法において、表示領域は、所定の書き換え間隔で書き換えられる第１の表示単位と、第１の表示単位の書き換え間隔より短い書き換え間隔で書き換えられる第２の表示単位と、を含み、画像書換えを行う際、第２の表示単位に含まれる電気泳動素子に、第１の表示単位に含まれる電気泳動素子より短い時間、電圧を印加することを特徴とする。
【手続補正６】
【補正対象書類名】明細書
【補正対象項目名】００１０
【補正方法】変更
【補正の内容】
【００１０】
上記課題を解決するために本発明に係る電気泳動装置の駆動方法は、電気泳動粒子を含有する分散系を第１電極と第２電極との間に介在してなる電気泳動素子を有し、電気泳動素子を複数具備する表示領域を備えてなる電気泳動装置の駆動方法において、表示領域は、所定の書き換え間隔で書き換えられる第１の表示単位と、第１の表示単位の書き換え間隔より短い書き換え間隔で書き換えられる第２の表示単位と、を含み、第１の表示単位に含まれる電気泳動素子のみに電圧を印加し、該第１の表示単位における表示のリフレッシュを行うことを特徴とする。
【手続補正７】
【補正対象書類名】明細書
【補正対象項目名】００１１
【補正方法】変更
【補正の内容】
【００１１】
上記課題を解決するために本発明に係る電気泳動装置を制御するためのコントローラは、電気泳動粒子を含有する分散系を第１電極と第２電極との間に介在してなる電気泳動素子を有し、電気泳動素子を複数具備する表示領域と、電気泳動素子を駆動する駆動回路と、を含む電気泳動装置を制御するためのコントローラにおいて、コントローラは、表示領域に含まれる第１の表示単位が所定の書き換え間隔で書き換えられ、表示領域に含まれる第２の表示単位が第１の表示単位の書き換え間隔より短い書き換え間隔で書き換えられるように駆動回路を制御し、画像書換えを行う際、第２の表示単位に含まれる電気泳動素子に、第１の表示単位に含まれる電気泳動素子より低い電圧が印加されるように駆動回路を制御することを特徴とする。
【手続補正８】
【補正対象書類名】明細書
【補正対象項目名】００１２
【補正方法】変更
【補正の内容】
【００１２】
上記課題を解決するために本発明に係る電気泳動装置を制御するためのコントローラは、電気泳動粒子を含有する分散系を第１電極と第２電極との間に介在してなる電気泳動素子を有し、電気泳動素子を複数具備する表示領域と、電気泳動素子を駆動する駆動回路と、を含む電気泳動装置を制御するためのコントローラにおいて、コントローラは、表示領域に含まれる第１の表示単位が所定の書き換え間隔で書き換えられ、表示領域に含まれる第２の表示単位が第１の表示単位の書き換え間隔より短い書き換え間隔で書き換えられるように駆動回路を制御し、画像書換えを行う際、第２の表示単位に含まれる電気泳動素子に、第１の表示単位に含まれる電気泳動素子より短い時間、電圧が印加されるように駆動回路を制御することを特徴とする。
【手続補正９】
【補正対象書類名】明細書
【補正対象項目名】００１３
【補正方法】変更
【補正の内容】
【００１３】
上記課題を解決するために本発明に係る電気泳動装置を制御するためのコントローラは、電気泳動粒子を含有する分散系を第１電極と第２電極との間に介在してなる電気泳動素子を有し、電気泳動素子を複数具備する表示領域と、電気泳動素子を駆動する駆動回路と、を含む電気泳動装置を制御するためのコントローラにおいて、コントローラは、表示領域に含まれる第１の表示単位が所定の書き換え間隔で書き換えられ、表示領域に含まれる第２の表示単位が第１の表示単位の書き換え間隔より短い書き換え間隔で書き換えられるように駆動回路を制御し、第１の表示単位に含まれる電気泳動素子のみに電圧が印加されることで、該第１の表示単位における表示のリフレッシュが行われるように駆動回路を制御することを特徴とする。
【手続補正１０】
【補正対象書類名】明細書
【補正対象項目名】００１４
【補正方法】変更
【補正の内容】
【００１４】
上記課題を解決するために本発明に係る電気泳動装置は、電気泳動粒子を含有する分散系を第１電極と第２電極との間に介在してなる電気泳動素子と、電気泳動素子を駆動する駆動回路と、駆動回路を制御するコントローラとを有し、電気泳動素子を複数具備する表示領域を備えてなる電気泳動装置において、コントローラは、表示領域に含まれる第１の表示単位が所定の書き換え間隔で書き換えられ、表示領域に含まれる第２の表示単位が第１の表示単位の書き換え間隔より短い書き換え間隔で書き換えられるように駆動回路を制御し、画像書換えを行う際、第２の表示単位に含まれる電気泳動素子に、第１の表示単位に含まれる電気泳動素子より低い電圧が印加されるように駆動回路を制御することを特徴とする。
【手続補正１１】
【補正対象書類名】明細書
【補正対象項目名】００１５
【補正方法】変更
【補正の内容】
【００１５】
上記課題を解決するために本発明に係る電気泳動装置は、電気泳動粒子を含有する分散系を第１電極と第２電極との間に介在してなる電気泳動素子と、電気泳動素子を駆動する駆動回路と、駆動回路を制御するコントローラとを有し、電気泳動素子を複数具備する表示領域を備えてなる電気泳動装置において、コントローラは、表示領域に含まれる第１の表示単位が所定の書き換え間隔で書き換えられ、表示領域に含まれる第２の表示単位が第１の表示単位の書き換え間隔より短い書き換え間隔で書き換えられるように駆動回路を制御し、画像書換えを行う際、第２の表示単位に含まれる電気泳動素子に、第１の表示単位に含まれる電気泳動素子より短い時間、電圧が印加されるように駆動回路を制御することを特徴とする。
【手続補正１２】
【補正対象書類名】明細書
【補正対象項目名】００１６
【補正方法】変更
【補正の内容】
【００１６】
上記課題を解決するために本発明に係る電気泳動装置は、電気泳動粒子を含有する分散系を第１電極と第２電極との間に介在してなる電気泳動素子と、電気泳動素子を駆動する駆動回路と、駆動回路を制御するコントローラとを有し、電気泳動素子を複数具備する表示領域を備えてなる電気泳動装置において、コントローラは、表示領域に含まれる第１の表示単位が所定の書き換え間隔で書き換えられ、表示領域に含まれる第２の表示単位が第１の表示単位の書き換え間隔より短い書き換え間隔で書き換えられるように駆動回路を制御し、第１の表示単位に含まれる電気泳動素子のみに電圧が印加されることで、該第１の表示単位における表示のリフレッシュが行われるように駆動回路を制御することを特徴とする。
【手続補正１３】
【補正対象書類名】明細書
【補正対象項目名】００１７
【補正方法】変更
【補正の内容】
【００１７】
本発明に係る電子機器は、上記に記載の電気泳動装置を備える。ここで、「電子機器」は、電気泳動材料による表示を利用する表示部を備えるあらゆる機器を含むもので、ディスプレイ装置、テレビジョン装置、電子ペーパー、時計、電卓、携帯電話、携帯情報端末等を含む。また、「機器」という概念からはずれるもの、例えば可撓性のある紙状／フィルム状の物体、これら物体が貼り付けられた壁面等の不動産に属するもの、車両、飛行体、船舶等の移動体に属するものも含む。
【手続補正１４】
【補正対象書類名】明細書
【補正対象項目名】００１８
【補正方法】変更
【補正の内容】
【００１８】
本発明の電子時計は、第１の表示単位、第２の表示単位がそれぞれ、月表示、日表示、時表示、分表示、および秒表示からなる群から選択される、上記に記載の電気泳動装置を備える。ここで、「電子機器」は、電気泳動材料による表示を利用する表示部を備えるあらゆる機器を含むもので、ディスプレイ装置、テレビジョン装置、電子ペーパー、時計、電卓、携帯電話、携帯情報端末等を含む。また、「機器」という概念からはずれるもの、例えば可撓性のある紙状／フィルム状の物体、これら物体が貼り付けられた壁面等の不動産に属するもの、車両、飛行体、船舶等の移動体に属するものも含む。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】